(57)【特許請求の範囲】
【請求項１】
固定子に電機子巻線を有する三相交流回転電気機器において、環状の絶縁基板に大電流用の電気導体が固定された電機子巻線接続用配線板を前記固定子の一側に備え、前記電機子巻線はスター型に結線され、各巻線の中性点側の端末を接続するための環状の電気導体が前記絶縁基板の一側面に固定され、各巻線の非中性点側の端末を接続するための３つの電気導体が前記絶縁基板の他側面に固定され、前記各電気導体には前記絶縁基板の外周縁に臨む切込みに重なる切込みが形成され、前記電機子巻線の端末は前記切込みに係止され、前記電機子巻線の非中性点側の端末が前記電気導体を介して電源接続線に接続されていることを特徴とする回転電気機器。
【請求項２】
前記電機子巻線は固定子の鉄心に保持した巻線用ガイド部材に巻付けられ、前記電機子巻線接続用配線板は前記巻線用ガイド部材に保持されている請求項１の回転電気機器。
【請求項３】
絶縁基板の前記電気導体を固定した面は絶縁層でコーティングされている請求項１または２のいずれかの回転電気機器。
【請求項４】
電機子巻線には複数本のエナメル線を撚って１本にまとめた撚り線が使われている請求項１〜３のいずれかの回転電気機器。
【発明の詳細な説明】
【０００１】
【発明の属する技術分野】
この発明は、固定子に電機子巻線を有するブラシレスＤＣモータやフラマグや発電機などの回転電気機器に関するものである。
【０００２】
【従来の技術】
ブラシレスＤＣモータや、フライホイールマグネト（フラマグ）や、発電機などの回転電気機器において、固定子に電機子巻線を有するものは多く知られている。この種の回転電気機器では固定子の巻線が鉄心の両側に突出するが、従来は各巻線の端末をそれぞれ手作業で外部の電源接続線に個別に接続しはんだ付けしていた。
【０００３】
【発明が解決しようとする課題】
しかしながら固定子の両端には巻線が突出した部分（コイルエンドという）ができ、ここにさらに各巻線の端末を電源接続線に手作業で接続すると各巻線の端末の配線が繁雑になり、端末処理が面倒で組立性も悪いという問題があった。特に鉄心の極数（スロット数）が増えると、この端末処理が著しく複雑で困難性が高くなると共に、端末処理の部分が嵩張って全体が大型化するという問題もあった。
【０００４】
一方電動車両などの移動体の動力用として、ブラシレスＤＣモータを用いることが近年検討されている。このモータは永久磁石付きの回転子（ロータ）を用いるが、近年高性能な永久磁石が次々と開発されるに伴って、小型・高出力化が可能になったためである。しかし移動体は動力源として通常バッテリを用いるため、低電圧・大電流で駆動する必要がある。
【０００５】
このため固定子の電機子巻線に供給する電流も大きくなり、これに伴って、電機子巻線の線径も大きくする必要が生じる。そこで従来は太径の導線を鉄心に巻き付けていたが、導線が太くなると曲げにくくなるためその端末処理の困難性は一層大きくなり、端末処理部分の嵩張りが大きくなり、一層大型化する。
【０００６】
本発明はこのような事情に鑑みなされたものであり、固定子の電機子巻線の端末を電源接続線に接続するための配線処理を単純かつ簡単にし、組立性を良くし、鉄心のスロット数が増えても端末処理の困難性が高まることがなく、端末処理部分が嵩張らず全体を小型化するのに適する回転電気機器を提供することを目的とする。
【０００７】
【発明の構成】
本発明によればこの目的は、 固定子に電機子巻線を有する三相交流回転電気機器において、環状の絶縁基板に大電流用の電気導体が固定された電機子巻線接続用配線板を前記固定子の一側に備え、前記電機子巻線はスター型に結線され、各巻線の中性点側の端末を接続するための環状の電気導体が前記絶縁基板の一側面に固定され、各巻線の非中性点側の端末を接続するための３つの電気導体が前記絶縁基板の他側面に固定され、前記各電気導体には前記絶縁基板の外周縁に臨む切込みに重なる切込みが形成され、前記電機子巻線の端末は前記切込みに係止され、前記電機子巻線の非中性点側の端末が前記電気導体を介して電源接続線に接続されていることを特徴とする回転電気機器、により達成される。
【０００８】
電気導体は銅の厚板や太線としてその電流通路の断面積を十分に大きく確保するのがよく、例えば電機子巻線の断面積と同等もしくはこれより大とするのが望ましい。この電気導体は接着剤で絶縁基板に接着固定するのが作業が簡単になり望ましいが、接着に代えあるいは接着と共にリベットやビスなどを用いてもよい。電気導体には絶縁基板の外周縁に臨んで開いた切込みを設け、電機巻線の端末をこれらの切込みに係止させるようにしたので、端末処理は一層容易になる。
【０００９】
電機子巻線接続用配線板を、固定子の鉄心に保持された巻線用ガイド部材に保持することは固定子と同心に保持するために好ましいことであるが、固定子を収容するケースの内面に保持してもよい。
【００１０】
電機子巻線は、スター結線として、各巻線の中性点側の端末を接続する環状の電気導体を絶縁基板の一側面に固定し、各巻線の非中性点側の端末を接続するための３つの電気導体を絶縁基板の他側面に固定するので、絶縁基板の両面を有効利用して簡潔な配線構成が可能になる。
【００１１】
絶縁基板は電気導体を固定した面を絶縁コーティングしておくのが望ましい。また電機子巻線には１本の太径のエナメル線を用いることは可能であるが、複数の細径のエナメル線を撚って互いに接着した撚り線とすれば、この撚り線が柔軟性に富むので巻線を嵩張ることなく高密度に巻いて小型化に適すると共に、その端末処理の作業性も向上して組立性が一層向上する。
【００１２】
【実施態様】
図１は本発明に係るブラシレスＤＣモータの一実施態様を示す側断面図、図２は固定子およびホール素子の配置を示す右側面図、図３は回転子の側断面図、図４は同じく右側面視図、図５は図３におけるＶ−Ｖ線断面図、図６は回転子の分解斜視図、図７は環状シートの構造を示す断面図である。また図８は電機子巻線接続用配線板の右側面図、図９は同じく左側面図、図１０は電機子巻線の結線図である。
【００１３】
図１，２において符号１０はインナーロータ型のブラシレスＤＣモータであり、３相交流同期型電動機である。このモータ１０はケース本体１２の内面に嵌め込まれ固定された固定子１４と、ケース本体１２およびケース蓋１６とに軸受１８，２０によって回転自在に保持された回転子２２とを持つ。なお回転子２２の一端はケース本体１２を貫通して突出し、この突出端がモータ出力取出用の歯車２４となっている。
【００１４】
固定子１４は図２に示すように内径方向に向って突出する９個の界磁鉄心２６を持ち、各鉄心２６には電機子巻線２８（図１参照）が巻付けられている。すなわちこの界磁鉄心２６は、一定形状に打ち抜いた軟鉄板を積み重ね一体化した鉄板積層体３０で形成され、この積層体３０の両端に樹脂製の巻線用ガイド部材としてのプレート３２，３４を重ね、各プレート３２，３４に形成した爪を各鉄心２６に嵌め合わせたうえで、各鉄心２６に電機子巻線２８を巻付けたものである。
【００１５】
電機子巻線２８に用いる電線としては、１本の銅線を絶縁材で被覆した太径のエナメル線であってもよいが、複数本（例えば７本）の細径のエナメル線を撚って１本にまとめた撚り線が好適である。このような撚り線は柔軟であるのでこれを用いることにより電機子巻線２８を嵩張ることなく鉄心に沿わせて曲げることが可能になり、巻線２８の両端から外側（回転子の長手方向）に突出するコイルエンド２８Ａ（図１参照）を小さくすることが可能になる。また巻線２８の端末処理を容易にすることができる。９個の電機子巻線２８は３つの組に分けられて後記配線板６４を介して各組に３相交流の各Ｕ，Ｖ，Ｗ相電流を流すことによって固定子１４の中心部に回転磁界を形成する。
【００１６】
回転子２２は図３〜６に示すように、回転軸３６とこの回転軸３６に嵌合され接着固定されたヨーク３８と、このヨーク３８の外周面に接着固定された８個の永久磁石４０とを持つ。ヨーク３８は軟鉄板を型抜きし積層したものであり、前記固定子１４の鉄板積層体３０を型抜きした際に残る材料を利用して作ることができる。なお永久磁石４０としてはネオジウム系のものが最適である。この永久磁石４０は無着磁の状態でヨーク３８に接着固定され、固着後に半径方向に着磁する。
【００１７】
回転子２２の一端面、すなわちヨーク３８の一端面には磁極位置検出用の磁石保持リング４２が固定されている。この磁石保持リング４２は樹脂製の環状部材４４と、薄板状の環状シート４６とを接着したものであり、電機子巻線２８のコイルエンド２８Ａの内径側に入るようにその外径が決められている。この実施態様ではこの磁石保持リング４２の外径は回転子２２の外径よりも僅かに小さい。環状部材４４は、環状シート４６と反対側に端面がヨーク３８にまた内周面が回転軸３６に接着固定される。
【００１８】
環状シート４６は、図７に示すようにポリエステル樹脂製の基板４８と、この基板４８の一方の面に周方向に等間隔に形成した９個の凹部５０に充填した薄板状磁石５２と、この薄板状磁石５２を覆う透明アクリル樹脂製の保護膜５４と、基板４８の他方の面に塗布されたアクリル系接着樹脂層５６と、この接着樹脂層５６に接着され剥離可能な保護フィルム５８とを持つ。この保護フィルム５８を剥がすことによって環状シート４６を環状部材４４に接着するものである。
【００１９】
ここに用いる薄板状磁石５２は、粉末状あるいは微粒子状の磁石をアクリル系樹脂などに混入してペースト状としたもの（ペースト状磁石）を固形化させて作ることができる。ここに用いる磁石としては、例えばＮｄ−Ｆｅ−Ｂ（ネオジウム−鉄−ボロン）などの稀土類パウダー磁石が適する。この磁石５２は、固形化した後にその厚さ方向（回転軸３６の長手方向）に着磁される。
【００２０】
環状シート４６は保護フィルム５８を接着した状態で製造者より供給され、モータ１０の組立時に保護フィルム５８を剥がして環状部材４４に接着して用いることができる。この時回転子２２の永久磁石４０と環状シート４６の薄板状磁石５２との間の吸引力・反発力を利用して、自動的に回転方向の位置決めを行うことができる。
【００２１】
具体的なやり方としては、例えば回転子２２の回転軸３６を垂直に立て、環状シート４６を接着した環状部材４４を回転子２２の上面に載せれば、磁石４０の軸方向の端面から上方へ向う（または下方へ向う）磁束と薄板状磁石５２の垂直方向（回転軸３６と平行方向）の磁束との相互作用により、環状シート４６が所定の周方向の角度位置で永久磁石４０に吸引され環状部材４４はその位置に保持される。この状態で位置決めの目印を付け、環状部材４４に接着剤を塗布してヨーク３８および回転軸３６に固定すればよい。
【００２２】
また別のやり方としては、環状部材４４を予め回転子２２に接着した後、環状シート４６を保護フィルム５８を付けた状態で前記したように位置決めし、目印を付けてから保護フィルム５８を剥がして環状部材４４に接着してもよい。さらに環状シート４６に可撓性を持たせる一方、保護フィルム５８を複数部分に分割して剥離可能にしておけば、次のようにして接着できる。すなわち前記と同様に位置決めし、指先で環状シート４８の周縁付近の一部を押さえて、位置ずれを防ぎつつ、反対側を環状部材４４から浮き上げるようにして保護フィルム５８の一部を剥離し接着する。そしてこの接着した部分を指先で押さえて非接着部分を環状部材４４から浮き上がらせて残りの保護フィルム５８を剥離すればよい。
【００２３】
このように回転子２２に固定した環状部材４４および環状シート４６からなる磁石保持リング４２は、図１に示すように電機子巻線２８のコイルエンド２８Ａの内径側に収まる。環状シート４６の薄板状磁石５２には、回転子２２の回転角度位置を検出するための磁気センサとしての３個のホール素子６０が回転軸３６の長手方向に対向している。図１，２において符号６２はこれらのホール素子６０を保持するための環状のセンサ保持板である。
【００２４】
このセンサ保持板６２は、前記固定子１４のプレート３４に嵌合固定した環状の配線板６４に３本のビス６６によって固定される。なおビス６６の係合孔６８（図２）は円周方向に長い長孔とされ、センサ保持板６２の回転方向の固定位置を調整可能にしている。各ホール素子６０は表面実装型のものであり、センサ保持板６２に形成したプリント配線回路（図示せず）に表面実装されてコネクタ７０に接続され、このコネクタ７０を介して外部の制御装置（図示せず）に接続される。
【００２５】
次に配線板６４を図１，８，９に基づいて説明する。この配線板６４は環状の絶縁基板７２と、この基板７２の一方の面に接着固定された環状の電気導体７４と、他方の面に接着された３個の電気導体７６，７８，８０とを持つ。基板７２はガラス布や紙などの基材にフェノール樹脂などの熱硬化性樹脂を含浸させ硬化させたものである。
【００２６】
環状の電気導体７４は図９に示すように、基板７２の左側（図１で固定子１４側）の面に基板７２と同心に接着により固定されている。この電気導体７４には基板７２の外周に臨んで開く３つの切込み７４Ａが等間隔（１２０°間隔）に形成されている。すなわち３つの切込み７４Ａは、図８に示すように基板７２に形成した切込みに重なるように形成され切込み７４Ａの内縁が基板７２の切込みの内縁より内側に位置する。
【００２７】
３つの電気導体７６，７８，８０は図８に示すように、基板７２の右側（図１で固定子１４の反対側）の面に接着固定されている。３つの電気導体７６，７８，８０にはそれぞれ１つずつの切込み７６Ａ、７８Ａ、８０Ａが形成され、これらの切込み７６Ａ、７８Ａ、８０Ａは前記環状の電機導体７４に設けた３つの切込み７４Ａの間から基板７２の外周に臨む。すなわち３つの切込み７４Ａの間隔（１２０°）の中間に各切込み７６Ａ、７８Ａ、８０Ａは位置する。これらの切込み７６Ａ、７８Ａ、８０Ａは前記切込み７４Ａと同様に、基板７２に形成した切込みに重なるように形成され、それらの内縁が基板７２の切込みの内縁より僅かに内側に位置する。
【００２８】
３つの電気導体７６，７８，８０は図８に示すように、電気導体７４の１つの切込み７４Ａ（図８の下部）と電気導体８０の切込み８０Ａとの間から外周に臨むように延びている。そして切込み７４Ａと８０Ａとの間で、基板７２および電気導体７６，７８，８０を貫通する３本の電源接続線８２がこれらの電気導体７６，７８，８０にそれぞれ接続されている。
【００２９】
ここに用いられる電気導体７４，７６，７８，８０は十分な厚さを有する銅板を型抜き形成したものであり、これらの電流の流路断面積は十分に大きく確保されて電気抵抗が電機子巻線２８の大電流を導くのに適するように設定されている。配線板６４の両面は絶縁層でコーティングされている。また基板７２の内周側には電気導体７４，７６，７８，８０に接触しない位置に３個のナット８４がカシメにより固定されている。これらのナット８４には前記センサ保持板６２を固定するためのビス６６が螺入される。
【００３０】
この配線板６４には９個の電機子巻線２８が３つの組に２８Ａ、２８Ｂ、２８Ｃに分けられ、各巻線２８の組２８Ａ、２８Ｂ、２８Ｃは図１０に示すようにスター型に結線される。すなわち各組２８Ａ、２８Ｂ、２８Ｃの中性点側が環状の電気導体７４に接続され、非中性点側が３個の電気導体７６，７８，８０にそれぞれ接続されている。
【００３１】
ここに各組２８Ａ、２８Ｂ、２８Ｃの中性点側の端末は、配線板６４の外周とケース本体１２の内壁面との間を通してケース本体１２のケース蓋１６を取外した時に現れる開口側に導き出され、環状の電気導体７４の３つの切込み７４Ａにそれぞれ嵌め込まれて仮止めされる。同様に各組２８Ａ、２８Ｂ、２８Ｃの非中性点側の端末は配線板６４の外周とケース本体１２の内壁面との間を通して外へ導き出され、それぞれ切込み７６Ａ、７８Ａ、８０Ａに嵌め込まれて仮止めされる。
【００３２】
そして全ての切込み７４Ａ、７６Ａ、７８Ａ、８０Ａにそれぞれ各巻線２８の組２８Ａ、２８Ｂ、２８Ｃの端末がはんだ付けされ、余って不用となった巻線２８の端末が切り除かれる。なおこのはんだ付けの際に加わる熱により巻線２８の撚り線を被覆するエナメルは除去され、はんだ付けは能率良く行うことができる。
【００３３】
この実施態様によれば、磁石保持リング４２は図１に示すように電機子巻線２８のコイルエンド２８Ａの内側に収まっている。また環状シート４６に保持した薄板状磁石５２にはその厚さ方向すなわち回転軸３６と平行に着磁したから、ホール素子６０は図７に示すようにこの磁石５２に回転軸３６と平行な方向に隣接し対向するように配設して磁石５２の磁束７４がホール素子６０を通り易くすることができる。このためホール素子６０が電機子巻線２８のコイルエンド２８Ａと干渉せず、センサ保持板６２をコイルエンド２８Ａに接近させることができる。この結果モータ１０の小型化、特に回転軸方向の寸法を小さくすることが可能になる。
【００３４】
この実施態様では配線板６４の電気導体７４，７６，７８，８０を銅の厚板を型抜き形成して用いたが、厚板にはアルミニウムなど導電性の良い他の材料を用いてもよい。また厚板に代えて太径のエナメル被覆導線などの導線を用いてもよい。なお電気導体７４，７６，７８，８０は、リベットやビスなどであるいはこれらと接着剤を併用して基板７２に固定してもよい。また巻線２８はスター結線として中性点側をつなぐ電気導体７４と他の電気導体７６，７８，８０とを基板７２の異なる面に分けて接着したから、全ての切込み７４Ａ、７６Ａ、７８Ａ、８０Ａを全て基板７２の外周に配置することが可能になった。
【００３５】
このため切込み７４Ａ、７６Ａ、７８Ａ、８０Ａに嵌め込めば電気的接続が確実に行われはんだ付けする作業がし易くなる。またこれらのはんだ付けした各巻線の端末は、ホール素子を保持するセンサ保持板６２と干渉せずにこのセンサ保持板６２の径方向の外側に位置させることができ、モータ１０の小型化が図れる。なお配線板６４は前記実施態様では巻線用ガイド部板としてのプレート３２に係止させたが、ケース本体１２の内壁面に係止させてその回転方向の位置決めもできるようにしてもよい。
【００３６】
この実施態様はこの発明をブラシレスＤＣモータの固定子に適用したものであるが、この発明は固定子巻線を有する回転電気機器に適用可能であって、所期の効果が得られるものである。例えば永久磁石式の回転子を持ったフライホイールマグネト（フラマグ）などの発電機、ブラシ付きの直流モータや発電機などにも適用でき、本発明はこのようなものを包含する。
【００３７】
【発明の効果】
請求項１の発明は以上のように、環状の絶縁基板に大電流用の電気導体を固定した電機子巻線接続用の配線板を固定子の一側に設け、電機子巻線の端末をこれら電気導体を介して電源接続線に接続したものであるから、電機子巻線の端末処理を単純かつ簡単にし、モータの組立性を良くすることができる。このため鉄心の極数（スロット数）が増えても巻線の端末処理の困難性が高まることがなく、端末処理部分が嵩張らずモータの小型化が図れる。
【００３８】
ここに電気導体には、基板の外周縁に臨んで開く切込みを形成しておくので、巻線の端末をこの切込みに係止させて接続することができ、配線の作業性が良い。電機子巻線は三相交流駆動としてスター結線としたので、各巻線の中性点側を基板の一方の面に固定した環状の電気導体に接続し他方の面に各巻線の非中性点側を接続する３つの電気導体を固定することにより、基板の両面を利用して各電気導体を交差させることなく配置することができ、合理的な配置が可能になる。
【００３９】
配線板は電機子巻線を巻付ける巻線用ガイド部材に保持することができ、この場合には配線板を簡単な構造で固定子に接近させて保持できることになり、構成の簡素化と小型化とが一層図れる（請求項２）。
【００４０】
基板は少なくとも電気導体を接着した面を絶縁層でコーティングしておけば、万一導電性のゴミや水滴が浸入して付着することがあっても常に正確な動作をさせることが可能である（請求項３）。さらにここに用いる巻線用の線は、複数本のエナメル線を撚って１本とした撚り線が好適である。この撚り線はしなやかで曲げ易いため、固定子のコイルエンドが嵩張らず、巻線の端末を配線板に接続する際の作業性が向上するからである（請求項４）。
【図面の簡単な説明】
【図１】本発明の一実施例を示す側断面図
【図２】固定子およびホール素子の配置を示す右側面図
【図３】回転子の側断面図
【図４】同じく右側面図
【図５】図３におけるＶ−Ｖ線断面図
【図６】回転子の分解斜視図
【図７】環状シートの断面図
【図８】配線板の右側面図
【図９】同じく左側面図
【図１０】電機子巻線の結線図
【符号の説明】
１０  ブラシレスＤＣモータ
１４  固定子
２８  電機子巻線
２８Ａ  コイルエンド
３２  巻線用ガイド部材としてのプレート
３６  回転軸
３８  ヨーク
４０  永久磁石
６２  センサ保持板
６４  電機子巻線接続用の配線板
７２  絶縁基板
７４  環状の電気導体
７６、７８、８０  電気導体
８２  電源接続線
７４Ａ、７６Ａ、７８Ａ、８０Ａ  切込み
【図１】
0004083324.tif 000002
【図２】
0004083324.tif 000003
【図３】
0004083324.tif 000004
【図４】
0004083324.tif 000005
【図５】
0004083324.tif 000006
【図６】
0004083324.tif 000007
【図７】
0004083324.tif 000008
【図８】
0004083324.tif 000009
【図９】
0004083324.tif 000010
【図１０】
0004083324.tif 000011